(57)【要約】【課題】本考案は主屋根と主側面枠の内側に可動屋根並びに可動正面・副側面枠を配備した二重構造の主サンルーム部と主サンデッキ部を隣接設置し、当該可動屋根並びに可動正面・副側面枠を随時主サンデッキ部域に移動させる事により敷設空間の多目的活用を図る。【解決手段】本考案は主サンルーム部１と主サンデッキ部２を両者に共通する骨材である支柱枠３で囲まれる域内に隣接設置すると共に、主サンルーム部は支柱枠の外側に主屋根４と主側面冊子枠５を固定設置し、その内側に可動屋根６並びに正面冊子枠７と副側面冊子枠８とが一体構造になった可動正面・副側面冊子枠９を配備した二重構造とし、可動屋根並びに可動正面・副側面冊子枠を、支柱枠に敷設したレール１０を通じて主サンルーム部域内と主サンデッキ部域内との間を随時移動させえる構造とする事により、敷設面積やコストの低減を図れると共に季節や天候に対応した多様な用途に使い分けできる。【選択図】図１
0003141736.tif 000002
【実用新案登録請求の範囲】
【請求項１】
主サンルーム部と主サンデッキ部を共通の骨材である支柱枠の域内に隣接設置すると共に、主サンルーム部は当該支柱枠の外側に主屋根と主側面冊子枠を固定取付け、その内側には独立した可動屋根並びに正面冊子枠と副側面冊子枠とが一体構造になった可動正面・副側面冊子枠を配備した二重構造とし、当該可動屋根並びに可動正面・副側面冊子枠を個別に、当該支柱枠に敷設したレールを通じて主サンルーム部域内と主サンデッキ部域内との間を随時移動させえる構造を特徴とする多目的可変サンデッキ・サンルームユニット。
【考案の詳細な説明】
【技術分野】
【０００１】
本考案は固定取付された主屋根と主側面枠の内側に可動屋根並びに可動正面・副側面枠を配備した二重構造の主サンルーム部に主サンデッキ部を両者に共通する骨材である支柱枠域内に隣接設置し、当該可動屋根並びに可動正面・副側面枠を随時主サンデッキ部域に移動させ得る機構を持つ、多目的可変サンデッキ・サンルームユニットに関するものであ
る。
【背景技術】
【０００２】
市販のサンルームやサンデッキは、近年広く普及しつつあるが、通常両者は別々に販売・設置されている。
【０００３】
従来の公開技術としては、引き出し式ハウスとしてや折畳み式自在のサンルーム等がある。
【特許文献１】実開昭５０−１５１０５号公報
【特許文献２】特開平５−３３３９５号公報
【特許文献３】特開平６−１７５４６号公報
【考案の開示】
【考案が解決しようとする課題】
【０００４】
サンデッキは、主に春夏秋の天気の良い日に利用されるが、降雨や荒天時、寒冷時には利用されない。逆にサンルームは、主として冬季に利用されるが、夏季は不要の場合が多いし、台風等の荒天時には倒壊の恐れもあるので、大型のサンルームを建てようとすると、丈夫な構造とする必要があり、それに伴って建設コストも増大する。又、サンルームとサンデッキは共に居間等に隣接設置されることが多いと思われるが、両方を個々に設置すると宅地内での配置や敷設面積が競合するし、時期的にどちらかは使われない時に貴重な生活空間を占拠する無用の長物的な存在化する事になり、建設コストにも無駄使いが生じるという問題がある。
【０００５】
実開昭５０−１５１０５は入差込自在の家屋部の屋根や側面・床面が一体となっており、これを引出し差込みするには相当の力が要求されるので操作に難があるし、特開平５−３３３９５は名称は類似するがハウス本体と補助ハウスの床面の段差をなくすためのものであり費用対効果の面から検討すべきであるし、特開平６−１７５４６は支柱フレームに屋根パネルや側壁パネル等を蝶番で介設し、折畳みされた各パネルを回転してサンルームを組み立てるものであるが、構造が複雑で組み立て操作に難があると共に、強風に対する強度や保温のための気密性や漏水性に問題がると思われる。
【課題を解決するための手段】
【０００６】
本考案は主サンルーム部（主としてサンルームとして使用される部分）と主サンデッキ部（主としてサンデッキとして使用される部分）を図５に示されるような支柱枠で囲まれる域内に隣接設置すると共に、主サンルーム部は支柱枠の外側を主屋根と主側面冊子枠を覆い（固定設置）、当該支柱枠に敷設したレール上並びに内側に、それぞれ独立した可動屋根並びに正面冊子枠と副側面冊子枠とが一体構造になった可動正面・副側面冊子枠を配備した二重構造とし、当該可動屋根並びに可動正面・副側面冊子枠を個別に主サンルーム部域内と主サンデッキ部域内との間を随時移動させえる構造とする事により、問題点を解決している。
【考案の効果】
【０００７】
本考案では、省エネルギーやエコロジーの有力な手段であるサンルームとサンデッキを一体化する共に、二重構造の主サンルーム部の可動屋根部と可動正面・副側面冊子枠部を、移動させるには強度が要求され重荷となる支柱部や床面から切り離す事により軽量化し（主としてサンルームとして用いられる部分と主としてサンデッキとして用いられる部分の床面は別途固定設置両床面の段差については次段落で記述する。）、季節や天候あるいはユーザの趣向によって境界域を変動させ、両敷設空間の多目的活用を図ると人力での組み立て操作を容易にし、費用対効果性や敷設面積の利用率を高めると共に、新たに多彩な利用方法を付け加えられるものである。即ち、主サンルーム部と主サンデッキ部の敷設空間を、季節や天候によって変転する使用要件に対応させ、１年中有効かつ多彩な活用を図ろうとするものであり、具体的には以下に示すように、少なくとも４通りの使用方法が考えられるので、これらの使用方法を選択することにより、サンルーム・サンデッキ敷設空間を１年中快適に利用できる。まず、台風などの荒天時においては、図１に示すように可動屋根並びに可動正面・副側面冊子枠は固定された主屋根・主側面壁枠部の内側に収納すれば良いので、可動部の副側面冊子等には強度を要求しない資材が使えるので、図２に示すような両空間を覆う大型固定サンルームを建設する場合に比べるとコスト的に安価に構築できるし、冬季の夜間等においては、図１の状態にして置けば、主サンルーム部は二重壁構造となるので、暖房効率の向上が図れる。又、図２に示すように当該主サンルーム部の正面冊子枠と一体構造になった可動正面・副側面冊子枠部並びに可動屋根部を固定主屋根・主側面冊子枠部内から引き出し、主サンデッキ部域を覆えば、両空間を一体化した広いサンルームとして使用できる。その他にも、主サンデッキ部の上方に可動屋根部だけを引き出せば日よけとしても利用できるし、主サンデッキ部を可動正面・副側面冊子枠だけで覆えば風除けつきの日光浴場や植物栽培場、洗濯物干し場等として使用する事もできる。
【考案を実施するための最良の形態】
【０００８】
可動屋根には車輪を、可動正面・副側面冊子枠にはそれぞれ戸車を取り付けると共に、支柱部には両可動部をスムースに可動ならしめるためのレールやレール溝を設ける。主サンデッキ部の床面は雨滴進入防止のため主サンルーム部より少し低い濡れ縁構造とするが、ここをサンルームとして使用する時は寒気進入防止のためシートを用意し対処する。又、主サンルーム部と主サンデッキ部の段差が気になるユーザのためには、段差を解消する高さの敷きマットや、可動主面・副冊子枠の床面として、ワンボックスカー等に使われている移動ドアを応用した可動部展開時に床面がフラットとなり収納時に段差ができる機能等を持たせた、可動壁面と連動する床オプション等を用意する。
【実施例】
【０００９】
以下は添付図形に沿って実施例を説明する。図５に示す支柱枠３で囲まれる域内に主サンルーム部１と主サンデッキ部２を隣接配置すると共に、図６に示すように主サンルーム部の支柱枠の外側に主屋根４と主側面冊子枠５を固定取付、その内側に図９に示すように可動屋根６（鳥瞰図は図７に示す）並びに正面冊子枠７と副側面冊子枠８とが一体構造になった可動正面・副側面冊子枠９（鳥瞰図は図８に示す）を配備した二重構造とし、両可動部を主屋根と主側面冊子枠の内側に収納することにより、台風等の来襲や冬季悪天候における耐寒性に対処する事ができる。
【００１０】
図２並びに図１０に示すように可動屋根６並びに可動正面・副側面冊子枠９を、当該支柱枠３（鳥瞰図を図８に示す）に敷設したレール１０を通じて主サンルーム部１域内から主サンデッキ部２域内に引き出し、主サンルーム部と主サンデッキ部を一体化した広いサンルームとする事により、冬季好天時に太陽の恵みを満喫できる団欒の場や植物栽培場として利用できる。
【００１１】
図１に示す場合において、夏季において可動屋根６だけを主サンデッキ部２上空に引き出し、正面冊子枠７や主側面冊子枠５、副側面冊子枠８のそれぞれの冊子を開け放てば、主サンルーム部１をも含む遮光性を持たせた広いサンデッキとして使えるし、可動正面・副側面冊子枠だけを主サンデッキ部周辺へ引き出せば、季節を問わず簡易な風除け場や洗濯物干し場、植物栽培場として使える。
【産業上の利用可能性】
【００１２】
近年、化石燃料の枯渇や地球温暖化が懸念されるようになり、各種の省エネやエコロジーの強化策が模索されているが、本考案は、自然の涼風や太陽光の恵みを十分に生かせる構造であり、時代に即した新たな需要を喚起させえる考案物といえる。
【図面の簡単な説明】
【００１３】
【図１】本考案において、可動屋根と可動正面・副側面冊子枠を固定された主屋根・主側面冊子枠内へ収納して使用する場合の側面図である。
【図２】本考案において、可動屋根と可動正面・副側面冊子枠で主サンデッキ部域を覆い、両空間を広いサンルームとして使用する場合の側面図である。
【図３】本考案において、可動屋根並びに可動正面・副側面冊子枠を固定主屋根・主側面冊子枠内へ収納して使用する場合の屋根伏図である。
【図４】本考案の正面図である。（可動部は水平行移動するので正面図は変わらない）
【図５】本考案における、レールつき支柱枠の鳥瞰図である。
【図６】本考案における、支柱枠に主屋根並びに主側面冊子枠を固定取付けた時の鳥瞰図である。
【図７】本考案における、可動屋根部の鳥瞰図である。
【図８】本考案における、可動正面・副側面冊子枠部の鳥瞰図である。
【図９】本考案における、支柱枠の主サンルーム部域に可動屋根と可動正面・副側面冊子枠部を収納した時の鳥瞰図である。
【図１０】本考案における、支柱枠の主サンデッキ部域に仮想線で示す可動屋根と可動正面・副冊子枠部を引き出した時の鳥瞰図である。
【符号の説明】
【００１４】
１  主サンルーム部
２  主サンデッキ部
３  支柱枠
４  主屋根
５  主側面冊子枠
６  可動屋根
７  正面冊子枠
８  副側面冊子枠  
９  可動正面・副冊子枠部
１０  レール
【図１】
0003141736.tif 000003
【図２】
0003141736.tif 000004
【図３】
0003141736.tif 000005
【図４】
0003141736.tif 000006
【図５】
0003141736.tif 000007
【図６】
0003141736.tif 000008
【図７】
0003141736.tif 000009
【図８】
0003141736.tif 000010
【図９】
0003141736.tif 000011
【図１０】
0003141736.tif 000012